(57)【要約】【課題】放射線照射の有無を容易に判別できると共に、輸血バッグ等のバッグの要求強度を緩和することができる放射線インジケータを提供する。【解決手段】放射線インジケータ１０Ａは、略長方形状の基材シート１１と、この基材シート１１の表面に設けられたインジケート部１２とからなる。インジケート部１２は、中央の変色部１２ａと、これを囲む非変色部１２ｂとからなる。変色部１２ａの変色前の変色は非変色部１２ｂと同一である。インジケート部１２を挟んで基材シート１１の長手方向に色見本部１３，１４が延設されている。基材シート１１の角部は丸みを帯びている。【選択図】　図６
2004108819.tif 000002
【特許請求の範囲】
【請求項１】
放射線照射により変色する変色部と、放射線照射により変色しない非変色部とからなるインジケート部を有した放射線インジケータにおいて、
該変色部が表示部の中央に配置され、該変色部の周囲を該非変色部が取り囲んでおり、
該変色部の放射線照射による変色後の色が該非変色部と異なるものであり、
該インジケート部における該変色部の面積割合が２〜８０％であることを特徴とする放射線インジケータ。
【請求項２】
請求項１において、放射線照射による変色後の変色部と非変色部とのＬ＊ａ＊ｂ＊表色系における色差が３以上であることを特徴とする放射線インジケータ。
【請求項３】
請求項１又は２において、放射線照射による変色後の変色部と非変色部との色の組合せが高対比色であることを特徴とする放射線インジケータ。
【請求項４】
請求項３において、色の組合せは、黄色系−緑色系、黄色系−青色系、青色系−白色系、赤色系−白色系であることを特徴とする放射線インジケータ。
【請求項５】
請求項１ないし４のいずれか１項において、該インジケート部が基材シートの表面の一部に設けられていることを特徴とする放射線インジケータ。
【請求項６】
請求項５において、該インジケート部から離反する方向に帯状に延在した、変色後の変色部と同色の色見本部が設けられていることを特徴とする放射線インジケータ。
【請求項７】
請求項６において、該変色部の変色後の色が該色見本部の色であることを示す表示が設けられていることを特徴とする放射線インジケータ。
【請求項８】
請求項７において、該表示は該色見本部に設けられていることを特徴とする放射線インジケータ。
【請求項９】
請求項５ないし８のいずれか１項において、該基材シートの角部が丸みを有していることを特徴とする放射線インジケータ。
【請求項１０】
請求項９において、該角部の曲率半径が１〜５ｍｍであることを特徴とする放射線インジケータ。
【請求項１１】
放射線照射により変色する変色部を基材シートの表面に設けてなる放射線インジケータにおいて、該基材シートの角部が丸みを有していることを特徴とする放射線インジケータ。
【発明の詳細な説明】
【０００１】
【発明の属する技術分野】
本発明は、衣料用具、輸血血液等に照射した放射線量を色の変化で表示する放射線インジケータに関するものであり、詳しくは、放射線照射により変色する変色部と変色しない非変色部とを有した放射線インジケータに関する。
【０００２】
【従来の技術】
Ｘ線やガンマ線などの放射線照射処理は、医療用具の滅菌を目的として従来より行われているが、近年は、輸血による移植片対宿主病（ＧＶＨＤ）の発病予防のため、輸血用血液に対しても行われている。
【０００３】
特開２０００−３４６９４６号には、方形の基材シートの表面に、放射線照射により変色する変色部と変色しない非変色部とからなるインジケート部を設けた放射線インジケータが記載されている。同号公報の図４には、非変色部を中央に配置し、その周囲を変色部で取り囲んでなり、放射線照射により周囲の変色部が非変色部とは別色に変色するインジケート部が記載されている。また、同号公報の図５には、変色部を中央に配置し、その周囲を非変色部で取り囲んでなり、放射線照射により中央の変色部が周囲の非変色部と同色に変色するインジケート部が記載されている。
【０００４】
【特許文献１】
特開２０００−３４６９４６号
【０００５】
【発明が解決しようとする課題】
Ｉ．放射線照射により変色する変色部を有した放射線インジケータを観者が見る場合、該観者の視線及び注意力はインジケート部の中央が最も高くなる。特開２０００−３４６９４６号の図４のように、放射線照射してもインジケート部の中央が変色しない場合、観者はその周囲が変色したかどうか視線ないし注意力を分散させなければならず、放射線照射の有無の判定に高度の注意力が必要となり、また判別に要する時間も長くなる。同号の図５のように、放射線照射によりインジケート部中央の変色部が周囲の非変色部と同色に変色した場合は、インジケート部全体が一色よりなってしまい、インジケート部が目立たなくなってしまう。
【０００６】
本発明は、照射放射線による変色を視認及び識別することがきわめて容易となるよう改良された放射線インジケータを提供することを第１の目的とする。
【０００７】
ＩＩ．輸血バッグは、塩化ビニル又はポリプロピレン系等のポリマーから構成されている。この輸血バッグに、方形基材シートを有した放射線インジケータを貼着した場合、基材シートの尖った角部がバッグを突くことになる。このため、バッグには、基材シートの角部が当ってもピンホールが生じないように十分な強度をもたせることが必要になるが、これはバッグの製造コストや重量を増大させる。
【０００８】
【課題を解決するための手段】
本発明の放射線インジケータは、放射線照射により変色する変色部と、放射線照射により変色しない非変色部とからなるインジケート部を有した放射線インジケータにおいて、該変色部が表示部の中央に配置され、該変色部の周囲を該非変色部が取り囲んでおり、該変色部の放射線照射による変色後の色が該非変色部と異なるものであり、該インジケート部における該変色部の面積割合が２〜８０％であることを特徴とするものである。
【０００９】
かかる放射線インジケータにあっては、放射線照射により変色する変色部を表示部の中央に配置しており、且つ放射線照射によって変色した後の変色部の色が周囲の非変色部とは異なるものとなるため、放射線照射後の変色部と非変色部とのコントラストによりインジケート部が目立ったものとなり、且つ注意力の集中するインジケート部中央に変色部が存在するので、該中央部が変色したことを速かに認識することができる。このため、この放射線インジケータによると、放射線照射の有無を短時間で正確に判別することが可能となる。なお、変色部をインジケート部の２〜８０％とすることにより、変色部と非変色部との対比が明瞭となる。８０％を超えると変色する部分としない部分の境界がはっきりせず、色の違いが一目でわからない可能性がある。一方、２％未満であると変色部分が小さく、変色したかどうかの確認が困難になる可能性がある。
【００１０】
なお、放射線照射による変色後の変色部と非変色部との色差（Ｌ＊ａ＊ｂ＊表色系による。以下、同様。）を３以上とすることにより、変色後のインジケート部が一層目立ったものとなり、放射線照射の有無を一層容易に判別することが可能となる。
【００１１】
変色部の変色を目立たせるために、放射線照射前の変色部と非変色部との色を同色とすることが望ましい。この場合、非変色部と変色前の変色部とを色差ゼロの完全同色としてもよく、色差が１．５以下特に０．５以下程度の実質的同色としてもよい。
【００１２】
非変色部と放射線照射により変色した変色部との色の組合せは高対比色であることが好ましく、具体的には例えば、黄色系−緑色系、黄色系−青色系、青色系−白色系、赤色系−白色系などが例示される。なお、黄色系−緑色系の場合、黄色系、緑色系のいずれを変色部としてもよい。他の色の組合せにおいても、同様に、いずれを変色部としてもよい。
【００１３】
本発明では、インジケート部を基材シートの表面の一部にのみ設け、基材シート表面の他の部分を注意書き等の印刷スペースやメモ書き可能なスペースとすることが好ましい。
【００１４】
この場合、基材シート表面のインジケート部以外の部分に、インジケート部から離反する方向に帯状に延在した、変色後の変色部と同色の色見本部を設けてもよい。この色見本部はインジケート部の存在位置を示す視線案内機能を有する。
【００１５】
また、この色見本部の色が変色後の変色部の色であるため、変色部の色と該色見本部の色を対比することにより、変色部の変色の有無を識別し易い。この色見本部の色が変色部の変色後の色であることを示す表示を好ましくは色見本部に設けることにより、該放射線インジケータの識別に不慣れな観者にとってもこの色の対比をきわめて容易に行うことができる。
【００１６】
本発明（請求項１１）の放射線インジケータは、放射線照射により変色する変色部を基材シートの表面に設けてなる放射線インジケータにおいて、該基材シートの角部が丸みを有していることを特徴とするものである。この丸みとして、曲率半径の下限は好ましくは１ｍｍ、より好ましくは２ｍｍであり、上限は好ましくは５ｍｍ、より好ましくは３ｍｍである。このように基材シートの角部に丸みを持たせることにより、基材シートの角部から輸血バッグ等のバッグに局部的に加えられる応力が緩和され、バッグに要求される強度特性が緩和される。
【００１７】
【発明の実施の形態】
以下、図面を参照して実施の形態について説明する。図１〜７はそれぞれ実施の形態に係る放射線インジケータの平面図であり、図１〜３，６，７の（ａ）図は放射線照射前の状態を示し、図１〜３，６，７の（ｂ）図及び図４，５は放射線照射後の状態を示す。
【００１８】
図１の放射線インジケータ１は、略長方形状の基材シート２と、この基材シート２の表面に設けられたインジケート部３とを有する。基材シート２は、角部が丸みを帯びたものとなっている。
【００１９】
このインジケート部３は、中央に配置された円形の変色部４と、この変色部４の全周囲を取り囲む非変色部５とからなる。非変色部５の外形は略長方形状である。変色部４は、変色前は非変色部５と同色である。変色部４のインジケート部３に対する面積割合の上限としては好ましくは８０％、より好ましくは７０％、より好ましくは６０％、特に好ましくは５０％であり、下限としては好ましくは２％、より好ましくは５％、より好ましくは１０％、特に好ましくは２０％である。円形のインジケート部３の直径は５ｍｍ以上、例えば５〜２５ｍｍ特に５〜１５ｍｍ程度が好適である。
【００２０】
非変色部５と変色後の変色部４の色とは前記の高対比色となっており、色差は３以上例えば３〜４０となっている。色差は好ましくは６以上である。
【００２１】
インジケート部３は基材シート２の表面の一部にのみ設けられており、インジケート部３以外の基材シート２の表面は、種々の文字、記号等からなる説明文や品質表示、商標等を印刷したり、あるいは照射年月日等を記入可能となっている。
【００２２】
基材シート２の裏面には粘着剤層が設けられ、この粘着剤層を覆う剥離紙が設けられている。この剥離紙を剥すことにより、放射線インジケータ１を例えば輸血バッグ等の対象物に貼り付けることができる。
【００２３】
このように構成された放射線インジケータにあっては、放射線照射により変色部４が変色した場合、その周囲の非変色部５との色差が大きく、インジケート部３全体が目立つものとなる。また、視線、注意力が集まり易いインジケート部３の中央に変色部４が配置されているので、変色部４が変色したことを視認し易い。
【００２４】
この放射線インジケータにあっては、基材シート２の角部が丸みを帯びているため、この放射線インジケータが貼り付けられるバッグに要求される強度が緩和される。
【００２５】
図１では、変色部４は円形となっているが、図２の放射線インジケータ１Ａの変色部４Ａの通り方形であってもよい。図２のインジケート部３Ａにおいても、該変色部４Ａを取り囲む方形の非変色部５Ａが設けられている。変色部４Ａは、変色前は非変色部５Ａと同色である。この図２の放射線インジケータ１Ａも上記放射線インジケータ１と同様の効果を奏する。
【００２６】
方形のインジケート部３Ａは、一辺が５ｍｍ以上例えば５〜２５ｍｍ特に５〜１５ｍｍ程度であることが好ましい。
【００２７】
本発明では、図３の放射線インジケータ１Ｂのインジケート部３Ｂのように、中央の変色部４Ｂ及びこれを取り囲む非変色部５Ｂをいずれも円形としてもよい。図３にあっては、変色部４Ｂと非変色部５Ｂとを同心円状としている。このようにインジケート部３Ｂを構成した場合、インジケート部３Ｂを観察する観者の視線が円形インジケート部３Ｂの中心に著しく集中するようになり、変色部４Ｂが変色したことを確実に認識することができる。
【００２８】
上記実施の形態ではインジケート部は基材シートの中央部に配置されているが、インジケート部の基材シート上の配置は任意であり、図４〜７のように略長方形状の基材シート１１，２１の長手方向の一端側に寄った位置にインジケート部１２，２２を配置されてもよい。インジケート部１２，２２を一端側に寄せたことにより他端側に生じたスペースには、種々の印刷や書き込みを行うことができる。図４〜７では、このスペースに、放射線の照射日の記入欄が設けられている。
【００２９】
なお、図４，６の放射線インジケータ１０，１０Ａにあっては、インジケート部１２は円形であり、中央に配置された変色部１２ａとこれを同心円状に取り囲む非変色部１２ｂとで構成されている。図５，７の放射線インジケータ２０，２０Ａにあっては、インジケート部２２は略正方形状であり、インジケート部２２の中央に配置された変色部２２ａと、これを取り囲む非変色部２２ｂとで構成されている。変色部２２ａの外形は非変色部２２ｂの外形と相似形であるが、非相似形とされてもよい。
【００３０】
図４，５の放射線インジケータ１０，２０にあっては、インジケート部１２，２２の近傍に、放射線照射後の変色部１２ａ，２２ａの色を示す文言と着色部が設けられている。図４，５の「照射後」の文言に続く（　）内の○又は□マーク部分が着色部である。この着色部の色と変色後の変色部１２ａ，２２ａの色とを対比することにより、放射線照射を容易に判別することができる。
【００３１】
図６，７の放射線インジケータ１０Ａ，２０Ａにあっては、長方形状の基材シート１１，２１の長手方向に延在する帯状の色見本部１３，１４，２３，２４が設けられている。この色見本部１３，１４及び２３，２４は、変色後の変色部１２ａ，２２ａと同色である。また、この色見本部１３，１４及び２３，２４の幅員（基材シート１１，２１の短手方向に沿う幅）は、該短手方向における変色部１２ａ，２２ａの幅と略同一となっている。
【００３２】
色見本部１３，１４の間にインジケート部１２が配置され、色見本部２３，２４の間にインジケート部２２が配置されている。色見本部１３，２３は基材シート１１，２１の前記他端側に配置されており、色見本部１４，２４よりも長いものとなっている。この色見本部１３，２３内には、「照射後この色に変ります」という文字が印刷されており、色見本部１３，１４，２３，２４の色は変色部１２ａ，２２ａの変色後の色であることが示されている。
【００３３】
この表示がなされていると共に、変色部１２ａ，２２ａが放射線照射により色見本部１３，１４間及び２３，２４間の間に発生するため、色見本部１３，１４，２３，２４の色と変色部１２ａ，２２ａの色とを対比し易い。
【００３４】
また、色見本部１３，１４，２３，２４が基材シートの長手方向を縦断するように長く延在しているため、色見本部１３，１４間及び色見本部２３，２４間のインジケート部１２，２２がクローズアップされ、注意力がインジケート部１２，２２に集中し易い。しかも、変色部１２ａ，２２ａが変色すると、インジケート部１２，１３、変色部１２ａ及びインジケート部２２，２３、変色部２２ａがほぼ一直線状に連なったものとなり、変色が発生したことが一目で認識されるようになる。
【００３５】
このため、この放射線インジケータ１０Ａ，２０Ａによると、放射線照射の有無を極めて短時間で正確に判別することができる。なお、図４〜７の放射線インジケータの基材シートも角部が丸みを帯びたものとなっている。
【００３６】
本発明において、基材シートやインジケート部の構成材料や構造は特に限定されるものではなく、各種のものを用いることができる。基材シートは、例えばＰＥＴ等のポリエステル、ポリスチレン、ポリカーボネートなどの合成樹脂、アルミニウム等の金属箔又は紙製とすることができる。基材シートは白色であることが好ましいが、淡黄色、淡青色などの淡色であってもよい。
【００３７】
なお、基材シートを長方形状とする場合、その長手方向の長さ（図４のａ）は２０〜６０ｍｍ程度が好ましく、短手方向の長さ（図４のｂ）は１０〜３０ｍｍ程度が好ましい。寸法がこれよりも大きいと、輸血バッグ等からはみ出したり、バッグ等の表面の記載事項に重なり易くなる。
【００３８】
上記実施の形態は本発明の一例であり、本発明は図示以外の態様をもとりうる。例えば、変色部は円形、方形に限らず、菱形、楕円形、多角形、三角形、リング形などであっても良く、文字や各種紋様であってもよい。基材シートには保護用カバーフィルム層（例えば紫外線カットフィルム）が設けられてもよい。
【００３９】
【発明の効果】
以上の通り、本発明によると放射線照射の有無を容易に判別することが可能となる。また、本発明にあっては、輸血バッグ等のバッグの要求強度を緩和することもできる。
【図面の簡単な説明】
【図１】実施の形態に係る放射線インジケータ１の平面図である。
【図２】実施の形態に係る放射線インジケータ１Ａの平面図である。
【図３】実施の形態に係る放射線インジケータ１Ｂの平面図である。
【図４】実施の形態に係る放射線インジケータ１０の平面図である。
【図５】実施の形態に係る放射線インジケータ２０の平面図である。
【図６】実施の形態に係る放射線インジケータ１０Ａの平面図である。
【図７】実施の形態に係る放射線インジケータ２０Ａの平面図である。
【符号の説明】
１，１Ａ，１Ｂ，１０，１０Ａ，２０，２０Ａ　放射線インジケータ
２，１１，１２　基材シート
３，３Ａ，３Ｂ，１２，２２　インジケート部
４，４Ａ，４Ｂ，１２ａ，２２ａ　変色部
５，５Ａ，５Ｂ，１２ｂ，２２ｂ　非変色部
１３，１４，２３，２４　色見本部
【図１】
2004108819.tif 000003
【図２】
2004108819.tif 000004
【図３】
2004108819.tif 000005
【図４】
2004108819.tif 000006
【図５】
2004108819.tif 000007
【図６】
2004108819.tif 000008
【図７】
2004108819.tif 000009